(57)【要約】【課題】  インク受け部へのインクの堆積を好適に抑制しつつ、インクの堆積を抑制するために使用するインク量を低減することが可能な技術を提供する。【解決手段】  インクの堆積が発生する第１のインクと当該インクの堆積を抑制する第２のインクとを吐出する記録ヘッドと、記録ヘッドから吐出されたインクを受けるインク受け部と、記録動作の前後でインク受け部に対して第１のインク及び第２のインクを吐出する吐出制御を行う制御手段と、を備えるインクジェット記録装置に関する。本発明に係るインクジェット記録装置は、制御手段が、記録動作後の吐出制御において、記録動作における第１のインクの吐出量が所定量より多い場合に吐出するインク量を、当該所定量より少ない場合に吐出するインク量よりも少なくすることを特徴とする。【選択図】  図１１
2019005910.tif 000002
【特許請求の範囲】
【請求項１】
インクの堆積が発生する第１のインクと当該インクの堆積を抑制する第２のインクとを吐出し、記録媒体に画像を記録する記録動作を行う記録ヘッドと、
前記記録ヘッドから吐出されたインクを受けるインク受け部と、
記録命令があったときに前記記録動作を行う前に前記インク受け部に対して規定量のインクを吐出する第１の吐出制御と、当該記録動作を行った後に前記第１の吐出制御において吐出された前記インクの堆積を抑制するために前記インク受け部に対して前記第１のインク及び前記第２のインクを吐出する第２の吐出制御とを行う制御手段と、を備えるインクジェット記録装置であって、
前記制御手段は、前記第２の吐出制御において、前記記録動作における前記第１のインクの吐出量が所定量より多い場合に吐出するインク量を、前記第１のインクの吐出量が前記所定量より少ない場合に吐出するインク量よりも少なくすることを特徴とするインクジェット記録装置。
【請求項２】
前記制御手段は、前記第２の吐出制御において、前記記録動作に要した記録時間が所定時間より短い場合に吐出するインク量を、前記記録時間が前記所定時間より長い場合に吐出するインク量よりも少なくすることを特徴とする請求項１に記載のインクジェット記録装置。
【請求項３】
前記記録ヘッドの吐出口面を覆うキャップをさらに備え、
前記インク受け部は、前記キャップに配されたキャップ吸収体であることを特徴とする請求項１または２に記載のインクジェット記録装置。
【請求項４】
前記第２の吐出制御を行う前に前記記録ヘッドの吐出口面をワイピングするワイパをさらに備えることを特徴とする請求項１ないし３のいずれか１項に記載のインクジェット記録装置。
【請求項５】
前記第２の吐出制御を行った後に、前記インク受け部におけるインクを吸引する吸引動作を行う吸引ポンプをさらに備えることを特徴とする請求項１ないし４のいずれか１項に記載のインクジェット記録装置
【請求項６】
前記吸引ポンプは、前記吸引動作において、前記記録動作における前記第１のインクの吐出量が前記所定量より多い場合の駆動時間を、前記第１のインクの吐出量が前記所定量より少ない場合の駆動時間よりも短くすることを特徴とする請求項５に記載のインクジェット記録装置。
【請求項７】
前記制御手段は、前記第２の吐出制御において、環境温度が所定温度より低い場合に吐出するインク量を、前記環境温度が前記所定温度より高い場合に吐出するインク量よりも少なくすることを特徴とする請求項１ないし６のいずれか１項に記載のインクジェット記録装置。
【請求項８】
前記制御手段は、前記第２の吐出制御において、環境湿度が所定湿度より高い場合に吐出するインク量を、前記環境湿度が前記所定湿度より低い場合に吐出するインク量よりも少なくすることを特徴とする請求項１ないし７のいずれか１項に記載のインクジェット記録装置。
【請求項９】
インクの堆積が発生する第１のインクと当該インクの堆積を抑制する第２のインクとを吐出し、記録媒体に画像を記録する記録動作を行う記録ヘッドと、
前記記録ヘッドから吐出されたインクを受けるインク受け部と、
前記記録動作を行った後に前記インク受け部におけるインクの堆積を抑制するために前記インク受け部に対して前記第２のインクを吐出する吐出制御を行う制御手段と、を備えるインクジェット記録装置であって、
前記制御手段は、前記吐出制御において、前記記録動作における前記第２のインクの吐出量が所定量より多い場合に吐出するインク量を、前記第２のインクの吐出量が前記所定量より少ない場合に吐出するインク量よりも少なくすることを特徴とするインクジェット記録装置。
【請求項１０】
前記制御手段は、前記吐出制御において、前記記録動作に要した記録時間が所定時間より短い場合に吐出するインク量を、前記記録時間が前記所定時間より長い場合に吐出するインク量よりも少なくすることを特徴とする請求項９に記載のインクジェット記録装置。
【請求項１１】
記録媒体を下方より支持するプラテンをさらに備え、
前記インク受け部は、前記プラテンに配されたプラテン吸収体であることを特徴とする請求項９または１０に記載のインクジェット記録装置。
【請求項１２】
前記記録ヘッドは、記録媒体外に対してもインクを吐出して画像を記録する縁なし記録動作を行い、
前記インク受け部は、前記縁なし記録動作において吐出されたインクを受けることを特徴とする請求項９ないし１１のいずれか１項に記載のインクジェット記録装置。
【請求項１３】
前記制御手段は、前記吐出制御において、前記インク受け部に吐出された前記第１のインクの吐出量と前記インク受け部に吐出された前記第２のインクの吐出量とに基づいて決定されるインク量の前記第２のインクを吐出することを特徴とする請求項９ないし１２のいずれか１項に記載のインクジェット記録装置。
【請求項１４】
前記第１のインクは、マゼンタインク、シアンインク、イエローインク、ブラックインク、およびレッドインクの少なくともいずれか１つであり、
前記第２のインクは、ライトシアンインク、ライトマゼンタインク、およびクリアインクの少なくともいずれか１つであることを特徴とする請求項１ないし１３のいずれか１項に記載のインクジェット記録装置。
【請求項１５】
前記第１のインクは顔料インクであり、前記第２のインクは染料インクであることを特徴とする請求項１ないし１３のいずれか１項に記載のインクジェット記録装置。
【発明の詳細な説明】
【技術分野】
【０００１】
本発明は、インクジェット記録装置に関する。
【背景技術】
【０００２】
特許文献１には、堆積し易いインク（堆積インク）が吐出されたインク吸収体に対して、記録動作の終了後にインクの堆積を抑制するインク（堆積抑制インク）を吐出することで、インク吸収体におけるインクの堆積を抑制する技術が開示されている。
【先行技術文献】
【特許文献】
【０００３】
【特許文献１】特開２０１２−５１１９８号公報
【発明の概要】
【発明が解決しようとする課題】
【０００４】
インク吸収体（インク受け部）におけるインクの堆積を抑制するために吐出するインク量は、記録ヘッドからのインクの水分蒸発も考慮して設定する必要がある。特に、記録動作においてあまり使用しなかったインクのノズルからは、記録動作中により多くの水分が蒸発する。インク中の水分が蒸発すると、インクの堆積を抑制するための吐出の効果が低下してしまう。すなわち、インク中の水分蒸発が進んだ状態で、記録動作の終了後にインクの堆積を抑制するための吐出を行っても、十分にインクの堆積を抑制することができない場合がある。そこで、インクの水分蒸発分も考慮して、記録動作の終了後に吐出するインク量を予め多めに設定しておくことも考えられるが、インク消費量が増大してしまうという課題が生じる。
【０００５】
本発明は、上記課題に鑑みてなされたものであり、インク受け部へのインクの堆積を好適に抑制しつつ、インクの堆積を抑制するために使用するインク消費量を低減することが可能な技術を提供することを目的とする。
【課題を解決するための手段】
【０００６】
上記課題を解決するため、本発明に係るインクジェット記録装置は、インクの堆積が発生する第１のインクと当該インクの堆積を抑制する第２のインクとを吐出し、記録媒体に画像を記録する記録動作を行う記録ヘッドと、前記記録ヘッドから吐出されたインクを受けるインク受け部と、記録命令があったときに前記記録動作を行う前に前記インク受け部に対して規定量のインクを吐出する第１の吐出制御と、当該記録動作を行った後に前記第１の吐出制御において吐出された前記インクの堆積を抑制するために前記インク受け部に対して前記第１のインク及び前記第２のインクを吐出する第２の吐出制御とを行う制御手段と、を備えるインクジェット記録装置であって、前記制御手段は、前記第２の吐出制御において、前記記録動作における前記第１のインクの吐出量が所定量より多い場合に吐出するインク量を、前記第１のインクの吐出量が前記所定量より少ない場合に吐出するインク量よりも少なくすることを特徴とする。
【発明の効果】
【０００７】
本発明によれば、インク受け部へのインクの堆積を好適に抑制しつつ、インクの堆積を抑制するために使用するインク消費量を低減することが可能な技術を提供することができる。
【図面の簡単な説明】
【０００８】
【図１】第１実施形態に係るインクジェット記録装置を示す斜視図である。
【図２】第１実施形態に係る記録部の構成を示す斜視図である。
【図３】第１実施形態に係る記録部の周辺を示す模式断面図である。
【図４】第１実施形態に係る制御部の構成を示すブロック図である。
【図５】第１実施形態に係る回復ユニットの模式図である。
【図６】キャップへの吐出制御を説明するためのフローチャートである。
【図７】キャップへの吐出発数とインクの堆積の関係を説明する図である。
【図８】第１実施形態において記録する画像を説明するための図である。
【図９】図８における画像とインクの堆積の関係を説明するための表である。
【図１０】図８における画像と記録後予備吐量の関係を説明するための表である。
【図１１】第１実施形態に係る制御を示すフローチャートである。
【図１２】第２実施形態に係る制御を示すフローチャートである。
【図１３】第３実施形態において縁なし記録動作を行う際の記録媒体とプラテン吸収体の関係を示す模式図である。
【図１４】第３実施形態において縁なし記録動作を行う際の堆積インクのカウント領域を説明するための模式図である。
【図１５】第３実施形態における堆積抑制制御を示すフローチャートである。
【図１６】第３実施形態に係る制御を説明するためのフローチャートである。
【発明を実施するための形態】
【０００９】
（第１実施形態）
以下、図面を参照しながら、本発明の第１実施形態に係るインクジェット記録装置について説明する。
【００１０】
図１は、本実施形態に係るインクジェット記録装置（記録装置）を示す斜視図である。本実施形態に係る記録装置１は、記録媒体を給送する給送部、記録媒体（シート）を搬送する搬送部、記録媒体に画像を記録する記録部、画像が記録された記録媒体を排出する排出部、記録部の記録性能を回復する回復部などから構成される。
【００１１】
給送部は、複数枚の記録媒体を積載する給送トレイや、給送トレイに積載された記録媒体を１枚ずつ記録装置内部に給送する給送ローラを有する。
【００１２】
搬送部は、給送部から給送された記録媒体を搬送する搬送ローラ４００や、搬送ローラと対向する位置に配され搬送ローラと共に記録媒体を挟持するピンチローラ４０１を有する。
【００１３】
記録部は、インクを吐出する吐出口（ノズル）が設けられた吐出口面（ノズル面）が形成された記録ヘッド１０１と、記録ヘッド１０１を着脱自在に搭載するキャリッジ１００とを有する。キャリッジ１００は、キャリッジモータ１１０の駆動により、シャーシ１１１に取り付けられたタイミングベルト１１２を介してガイドシャフト１１３に沿ってＸ方向（キャリッジの移動方向）に往復移動可能に構成されている。記録媒体は、Ｘ方向と交差するＹ方向（記録媒体の搬送方向）に搬送される。記録ヘッド１０１は、キャリッジ１００が往復移動している間に、記録ヘッド１０１と対向する位置に停止している記録媒体に対してインクを吐出することで画像を記録する。記録ヘッド１０１と対向する位置には、記録媒体の表面（第１面）と記録ヘッド１０１の吐出口面との距離を一定に保つように、記録媒体を下方より支持するプラテン３００が設けられている。プラテン３００には、記録媒体外に吐出されたインクを吸収するプラテン吸収体３０１が配されている。
【００１４】
排出部は、画像が記録された記録媒体を記録装置外へ排出する排出ローラ４０２や、排出ローラと対向する位置において記録媒体を押さえる拍車ローラ４０３を有する。
【００１５】
回復部は、キャリッジ１００の移動方向における記録領域外において、記録ヘッド１０１の吐出口面１０２を覆うキャップ５００を有する。また、回復部は、キャップ５００が記録ヘッド１０１の吐出口面１０２を覆った状態において、チューブ５０２を介してキャップ５００と接続された吸引ポンプ５０３を駆動することによって記録ヘッド１０１からインクを吸引する吸引機構を有する。また、回復部は、記録ヘッドの吐出口面を拭払するワイパ５０６を有する。回復部の詳細は後述する。
【００１６】
次に本実施形態に係る記録装置の記録部について詳細に説明する。図２は、本実施形態に係る記録部の構成を示す斜視図である。キャリッジ１００には、記録ヘッド１０１が着脱自在に搭載される。さらに、記録ヘッド１０１に対して９種類のインクタンク（インクカートリッジ）１０３が着脱自在に装着される。本実施形態に係る記録装置は９種類のインクによって画像を記録するものであり、記録ヘッド１０１に対して各々独立した９個のインクタンク１０３が装着される。本実施形態では、これら９種類のインクタンクは、それぞれシアン、マゼンタ、イエロー、ブラック、レッド、ライトシアン、ライトマゼンタ、グレイ、クリアインクの９種類の顔料インクを内部に収容（貯留）している。
【００１７】
次に本実施形態に係る記録装置の搬送動作および記録動作について詳細に説明する。図３は、本実施形態に係る記録部の周辺を図１のＸ方向から見たときの模式断面図である。給送部から給送されてきた記録媒体Ｐは、Ｙ方向において記録ヘッド１０１の上流側に設けられた搬送ローラ４００及びチローラ４０１によって挟持して搬送される。また、記録媒体Ｐは、Ｙ方向において記録ヘッド１０１の下流側に設けられた排出ローラ４０２及びローラ４０３によっても挟持される。記録媒体Ｐは、搬送ローラ４００及びピンチローラ４０１と、排出ローラ４０２及び拍車ローラ４０３とに挟持されることによって、表面が平坦な状態に保たれたまま搬送される。搬送される記録媒体Ｐは、下方よりプラテン３００により支持されている。
【００１８】
搬送される記録媒体Ｐは、その搬送が停止している間に、Ｘ方向に移動するキャリッジ１００に搭載された記録ヘッド１０１の吐出口からインク滴が吐出されることによって、１バンド分（１改行分）の画像が記録される。１バンド分の画像が記録されると、記録媒体Ｐは、不図示の搬送モータにより搬送ローラ４００が所定量駆動されることによって、Ｙ方向へ所定量搬送される。このキャリッジ１００が移動している間の記録ヘッド１０１によるインク滴の吐出と、搬送ローラ４００による記録媒体Ｐの所定量ずつの搬送（間欠搬送）とが交互に繰り返されることによって、記録媒体Ｐ全体に１ページ分の画像が記録される。
【００１９】
次に本実施形態に係る記録装置の制御部の構成について詳細に説明する。図４は、本実施形態に係る制御部の構成を示すブロック図である。図４において、ＣＰＵ１０００は、メインバスライン１０１３を介して装置各部の制御およびデータ処理を実行する。ＣＰＵ１０００は、ＲＯＭ１００１に格納されているプログラムに従い、データ処理、記録ヘッド駆動およびキャリッジ駆動の制御、記録動作、及び予備吐出動作を含むメンテナンス動作等を実行する。
【００２０】
ＣＰＵ１０００は、インターフェース１００４を介してホスト装置との通信処理が可能である。ＲＡＭ１００２は、ＣＰＵ１０００によるデータ処理等のワークエリアとして用いられる。ＲＡＭ１００２は、記録動作に用いる記録データ、記録装置の回復動作、及び供給動作に係るパラメータ等を一時的に保存する。画像入力部１００３は、インターフェース１００４を介してホスト装置から入力された画像を一時的に保持する。
【００２１】
また、ＣＰＵ１０００は、回復部による吸引動作等によるインクの消費量をカウントし廃インクを収容する廃インク収容部（廃インクパック）５０４に収容されている廃インク量を算出する。ＣＰＵ１０００は、インターフェース１００４を介して廃インク収容部５０４が満杯になった等の警告をホスト装置等に通知することができる。不揮発性メモリ１００５は、廃インク収容部５０４に収容されているインク量や、プラテン吸収体３０１に吐出されたインク量等に関する情報を記憶し保存する。不揮発性メモリ１００５は、記録装置の電源がＯＦＦにされても情報を保持することができる。
【００２２】
回復系制御回路１００８は、ＲＡＭ１００２に格納された回復処理プログラムに従って回復系モータ１００９の駆動を制御する。回復系制御回路１００８は、回復系モータ１００９の駆動を制御することによって、キャップ５００の昇降動作（キャッピング動作）、ワイパ５０６の拭払動作（ワイピング動作）、吸引ポンプ５０３の吸引動作等の回復動作（クリーニング動作）を制御する。
【００２３】
ヘッド駆動制御回路１０１０は、記録ヘッド１０１のインク吐出用の駆動を制御し、予備吐出や記録動作のためのインク吐出を記録ヘッド１０１に行わせる。
【００２４】
キャリッジ駆動制御回路１０１１は、画像信号処理部１００６で処理された記録データに従ってキャリッジ１００の往復移動を制御し、また回復動作を行う際にキャリッジ１００の回復部への移動を制御する。
【００２５】
搬送制御回路１０１２は、ＲＡＭ１００２に格納されたプログラムに従って搬送モータの駆動を制御する。搬送制御回路１０１２は、記録ヘッド１０１による１バンド分の画像データの記録が終了した後、次の１バンド分の画像データを記録するために記録データに従って記録媒体を所定量搬送する制御を行う。
【００２６】
次に本実施形態に係る記録装置の回復部（回復ユニット）の構成について詳細に説明する。図５は、本実施形態に係る回復ユニットの模式図である。上述したように、回復ユニットは、各種回復動作を行う際に記録ヘッド１０１の吐出口面１０２を覆うキャップ５００を有している。キャップ５００内において、記録ヘッドの吐出口面１０２と対向する位置にはキャップ吸収体（インク吸収体、インク受け部）５０１が設けられている。キャップ吸収体５０１と記録ヘッドの吐出口面１０２との間には、微小な空間が設けられている。キャップ５００は下方においてチューブ５０２を介して吸引ポンプ５０３と連通している。
【００２７】
吸引ポンプ５０３が駆動されると、記録ヘッド１０１とキャップ５００の間の空間に負圧が発生し、記録ヘッド１０１の吐出口からインクが吸引される。吸引されたインクは、チューブ５０２を介して接続された廃インク収容部５０４へ排出される。このように、記録ヘッド１０１の吐出口からインクを吸引することにより、記録ヘッド内のインク固着や泡の混入などを防止することができる。
【００２８】
また、記録ヘッド１０１からインクが吐出されない状態が一定時間以上続くと、記録ヘッド１０１の吐出口からの水分蒸発によりインクが増粘し、記録動作の開始時にインクの吐出不良が生じるおそれがある。そこで、記録動作の開始時の吐出不良の防止を目的として、記録動作を行う前に、記録ヘッドは、キャリッジによりキャップと対向する位置に移動し、キャップに対し規定量のインクを吐出する予備吐出動作を行う。この予備吐出動作を記録前予備吐、記録前キャップ予備吐とも称する。
【００２９】
この記録前予備吐は、記録動作中の吐出不良を防止することができる範囲内で最低限のインク消費量で行うことが望ましい。しかし、後述するように、キャップ５００に少量のインクを吐出した後に一定時間放置した場合、キャップ内のインクの乾燥、増粘が進み、インクの堆積が発生するおそれがある。
【００３０】
そこで、このインクの堆積の発生を防止するために、記録動作を行った後に、記録ヘッドは、キャップに対し所定量のインクを吐出する予備吐出動作を行う。この予備吐出動作を記録後予備吐、記録後キャップ予備吐、後がけ制御とも称する。この予備吐出動作により、キャップ内の水分比率が増え、キャップ内のインクの堆積を抑制することができる。
【００３１】
本実施形態では、９種類の顔料インクのうち、マゼンタインク、シアンインク、イエローインク、ブラックインク、レッドインクのような色が濃いインクは、固形成分の比率が高く、インク中の水分が蒸発すると固着し易く、インク吸収体に吸収され難い。よって、これらのインクをインク吸収体に堆積しやすい「堆積インク」（第１のインク）と分類する。一方、ライトシアンインク、ライトマゼンタインク、クリアインクのようなインクは、固形成分が少なく、固着し難く、インク吸収体に吸収され易い。これらのインクは堆積した顔料インクの吸収を促進する作用もあることから、インク吸収体への堆積を抑制する「堆積抑制インク」（第２のインク）と分類する。
【００３２】
なお、ここでは固形成分の量に応じて堆積インクと堆積抑制インクとに分類したが、インクに含まれる溶剤や保湿剤の量に応じて堆積インクと堆積抑制インクとに分類しても良い。インクに溶剤等が多く含まれる場合、堆積インクの粘性の上昇を抑えて、堆積インクをインク吸収体により吸収しやすくすることができる。よって、顔料インクにおいて溶剤・保湿剤を多く含むものを堆積抑制インクとして分類しても良い。また、堆積インクを顔料インク、堆積抑制インクを染料インクとして分類しても良い。
【００３３】
本実施形態における記録後予備吐では、記録前予備吐において吐出したインクの堆積を抑制するために、記録動作の終了後にキャップ５００に堆積抑制インクを吐出するものである。この際、記録後予備吐において吐出するインクは、堆積抑制インクだけでなく、併せて堆積インクを吐出しても良い。堆積抑制インクと共に堆積インクを吐出しても、キャップ内の水分比率が増えることから、キャップ内のインクの堆積を抑制する効果がある。
【００３４】
また、これらのキャップ予備吐によって、キャップ内にキャップの容積以上のインク量のインクが吐出されると、キャップ内からインクが溢れてしまうおそれがある。そこで、所定のタイミングで吸引ポンプ５０３を駆動してキャップ内のインクを吸引する吸引動作を実行する。この吸引動作を空吸引とも称する。
【００３５】
図６は、キャップへの吐出制御を説明するためのフローチャートである。まず、ステップＳ１３１において、ＣＰＵ１０００から記録命令を受信する。記録命令を受信すると、次のステップＳ１３２へ進み、キャップに対し記録前予備吐を行う。この記録前予備吐では、キャップ５００に各色各ノズル１００ドット（１００発）ずつの吐出を行う。そして、この記録前予備吐を行った後、ステップＳ１３３へ進み、記録動作を開始する。記録動作が完了すると、ステップＳ１３４へ進み、記録ヘッド１０１のクリーニングのために、ワイパ５０６により記録ヘッド１０１の吐出口面を拭払するワイピング動作を実施する。
【００３６】
ステップＳ１３５では、記録前予備吐においてキャップに吐出したインクが堆積するのを抑制するために、再度、記録ヘッド１０１は、キャリッジ１００によりキャップ５００と対向する位置に移動し、キャップ５００に対し予備吐出を行う。この記録後予備吐では、キャップ５００に各色各ノズル２０００発ずつの吐出を行う。この記録後予備吐において、堆積抑制インクだけでなく堆積インクも含めた全色のインクを吐出することにより、ワイピング動作によって混色したインクを吐出口外へ排出することができる。この記録後予備吐を行った後、ステップＳ１３６へ進み、吸引ポンプ５０３を駆動してキャップ内のインクを吸引排出する空吸引を実施する。空吸引の実施後、本制御は終了する。
【００３７】
次に、本発明者らが検討した、記録後予備吐とインクの堆積の関係について説明する。図７は、キャップへの吐出発数とインクの堆積の関係を説明する図である。図７を用いて、所定の記録画像（記録パターン）を連続して記録した際の、記録後予備吐の吐出量（吐出発数、吐出ドット数）とキャップ内のインクの堆積の関係を説明する。図７において、（Ａ）では、記録動作の終了後にキャップに１０００発の予備吐出を行った。湿度の低い環境下（温度３０℃、湿度１０％）において、画像を連続して１０枚記録した場合、所定時間後に、堆積しやすいブラックインクがキャップ内で固着し堆積した。さらに画像を連続して２０枚記録した場合、所定時間後のインクの堆積はさらに成長した。
【００３８】
（Ｂ）では、記録動作の終了後にキャップに２０００発の予備吐出を行った。吐出したインク量は、（Ａ）の１０００発のときよりも多いため、キャップ内は湿潤し、インクは堆積し難くなった。よって、１０枚記録した場合はインクの堆積が抑制された。一方、（Ｂ）において２０枚記録した場合はインクの堆積が発生した。（Ｂ）では、（Ａ）の場合よりもインクの堆積を抑制することはできたものの、堆積インクはキャップ吸収体に残っているため、やがて水分蒸発が進み、所定時間後にはインクの堆積が発生してしまう。また、これ以上吐出発数を多くすると、キャップの容積以上のインク量のインクがキャップに吐出されることになってしまい、キャップからインクが溢れてしまうおそれがある。
【００３９】
そこで、（Ｃ）では、さらに、インクの堆積やインクの溢れを抑制する対策として、記録動作の終了後にキャップに２０００発の予備吐出を行った後、吸引ポンプを駆動してキャップ内のインクを吸引する空吸引を実施した。キャップ予備吐の直後にこの空吸引を実施することで、キャップからインクが溢れることを防止することができた。また、この空吸引によってインクの蒸発が進む前にキャップ吸収体のインクを排出することができたため、（Ｂ）の場合よりもさらにインクの堆積を抑制することできた。
【００４０】
本発明者らの検討によれば、インクの堆積は、水分蒸発によりインク中の顔料・固形分量の比率が高くなることでインク吸収体にインクが固着し発生する。特に、記録動作において所定のインクがあまり使用されなかった場合、記録動作中にその使用されていないインクの水分が吐出口から蒸発しインクが増粘する。記録後予備吐において、そのようなインクが吐出されキャップ吸収体に着弾すると、インクの堆積を抑制する効果が低下してしまうことが分かった。一方、記録動作においてよく使用されているインクに関しては、使用によりノズルにはフレッシュなインクが供給される。記録後予備吐において、そのようなインクが吐出されキャップ吸収体に着弾しても、インクの堆積を抑制する効果は低下しないことが分かった。
【００４１】
本発明者らは、堆積インクとしてブラックインクを用いて、堆積インクと記録動作における非吐出時間の関係を調べる実験を行った。実験では、ブラックインクを使用した３種類の記録画像で記録動作を行ったときの、インク吸収体におけるブラックインクの堆積の状態を確認した。この際、３種類の記録画像として、図８の（Ａ）、（Ｂ）、（Ｃ）に示すような記録パターンを用いた。（Ａ）は、記録媒体Ｐの左端部付近にのみ画像（Ｙ方向に沿った１ラインの画像）がある記録パターンである。（Ｂ）は全面に画像がある、いわゆるベタ画像（６００ｄｐｉ）の記録パターンである。（Ｃ）は、Ｙ方向における画像の長さが（Ａ）、（Ｂ）の半分であり、記録媒体Ｐの左端部付近に、総打ち込み量（総吐出量）が（Ａ）と同じになるような画像（Ｙ方向に沿った２ラインの画像）がある記録パターンである。（Ｃ）は、記録動作に要する記録時間が（Ａ）の半分である。
【００４２】
図９は、図８の（Ａ）、（Ｂ）、（Ｃ）の各画像を連続して２０枚記録した場合のキャップ吸収体におけるインクの堆積の状態を示す表である。ここで、記録前予備吐では、キャップに各色各ノズル１００発ずつの吐出を行い、記録後予備吐では、各色各ノズル１０００発の吐出を行った。結果、（Ａ）にはインクの堆積が発生し、（Ｂ）、（Ｃ）にはインクの堆積が発生しなかった。
【００４３】
図１０は、図８の（Ａ）、（Ｂ）、（Ｃ）の各画像を連続して２０枚記録した場合に、キャップ吸収体におけるインクの堆積を抑制するために、記録後予備吐において必要なインクの吐出発数を調べた結果である。結果、（Ａ）では、インクの堆積を抑制するために、記録後予備吐において２０００発のインクの吐出が必要であり、（Ｂ）、（Ｃ）では、インクの堆積を抑制するために、記録後予備吐において１０００発のインクの吐出で良いことが分かった。
【００４４】
これは、（Ａ）に関しては、記録動作においてブラックインクがあまり使用されなかったため、記録ヘッドからインクの水分が蒸発してインクの増粘が進み、記録後予備吐におけるインクの堆積を抑制する効果が低下したためである。一方、（Ｂ）に関しては、記録動作においてブラックインクが多く使用されたため、記録ヘッドからインクの水分があまり蒸発せずインクの増粘も進まず、記録後予備吐におけるインクの堆積を抑制する効果が低下しなかったためである。また、（Ｃ）に関しては、記録動作においてブラックインクはあまり使用されていないが、記録動作に要する記録時間が短かったため、記録ヘッドからインクの水分があまり蒸発せずインクの増粘も進まず、記録後予備吐におけるインクの堆積を抑制する効果が低下しなかったためである。
【００４５】
このように、記録動作において使用される堆積インクのインク量が所定量より多い場合や、記録時間が所定時間より短いような場合には、記録後予備吐において吐出するインク量を低減することができることが分かった。具体的には、記録動作におけるブラックインクの吐出発数Ｄが所定のドット数Ｄｔｈ（所定量）より大きい場合（Ｄ＞Ｄｔｈ）、記録後予備吐における吐出数を通常の２０００発より少ない１０００発に抑えることができる。また、記録動作に要する記録時間Ｔが所定時間Ｔｔｈより短い場合（Ｔ＜Ｔｔｈ）、記録後予備吐における吐出数を通常の２０００発より少ない１０００発に抑えることができる。
【００４６】
本発明は上記新たな知見に基づいてなされたものである、以下、本実施形態に係る特徴的な制御を図１１のフローチャートを用いて説明する。
【００４７】
まず、ステップＳ１０１において、ＣＰＵ１０００から記録命令を受信する。記録命令を受信すると、次のステップＳ１０２へ進み、キャップに対し記録前予備吐を行う。この記録前予備吐において吐出するインクの発数は、各色各ノズル１００発ずつである。これは、記録動作において吐出不良となり画像形成に支障をきたさないよう、吐出口からの水分蒸発等により増粘したインクを排出するのに必要なインク量である。次に、ステップＳ１０３へ進み、堆積インク（本実施形態ではブラックインク）の消費量と記録時間の測定を開始する。そして、ステップＳ１０４において、記録命令に係る画像を記録媒体に記録する記録動作を開始する。記録動作が完了すると、ステップＳ１０５において、堆積インクの消費量と記録時間の測定を終了する。そして、ステップＳ１０６において、記録ヘッドの吐出口面に付着したインクや紙粉を除去することを目的として、記録ヘッドの吐出口面をワイピングするワイピング動作を実施する。
【００４８】
次に、ステップＳ１０７では、測定した記録時間が所定時間Ｔｔｈより長いか否かを判定する。記録時間が所定時間Ｔｔｈより長い場合は、ステップＳ１０８へ進む。ステップＳ１０８では、測定した堆積インクの消費量が所定のドット数Ｄｔｈより多いか否かを判定する。堆積インクの消費量が所定のドット数Ｄｔｈより少ない場合は、ステップＳ１０９へ進む。このとき、堆積インクの水分は吐出口から蒸発しインクの増粘が進んでおり、記録後予備吐によるインクの堆積を抑制する効果は低下している。よって、ステップＳ１０９では、通常通り、各色各ノズル２０００発ずつの記録後予備吐を行い、ステップＳ１１１へ進む。ここでの記録後予備吐では、堆積インクの蒸発分を考慮した十分な量の吐出量が設定されているため、この記録後予備吐によって、キャップ吸収体におけるインクの堆積を抑制することができる。また、ここでの記録後予備吐では、堆積抑制インクのみならず堆積インクも含めて各色のインクを吐出するため、ワイピング動作の実施により混色した各色のインクを吐出口外に排出することができる。
【００４９】
一方、ステップＳ１０７において、記録時間が所定時間Ｔｔｈより短い場合、または、ステップＳ１０８において、堆積インクの消費量が所定のドット数Ｄｔｈより多い場合は、ステップＳ１１０へ進む。このとき、堆積インクの水分は吐出口からあまり蒸発せずインクの増粘はあまり進んでおらず、記録後予備吐によるインクの堆積を抑制する効果は低下していない。よって、ステップＳ１１０では、記録後予備吐において吐出するインクの発数を減らすことができ、各色各ノズル１０００発ずつの記録後予備吐を行い、ステップＳ１１１へ進む。ここでも同様に、記録後予備吐において堆積抑制インク及び堆積インクを吐出することにより、ワイピング動作の実施により混色した各色のインクを吐出口外に排出することができる。
【００５０】
次に、ステップＳ１１１において、吸引ポンプを駆動して空吸引を実施する。これにより、キャップからインクが溢れることを防止することができる。この空吸引を行った後、本制御を終了する。
【００５１】
本実施形態では、記録後予備吐において、通常の記録後予備吐では２０００発、吐出量を減らした記録後予備吐では１０００発のインクを吐出するように設定したが、本発明はこれに限定されるものではない。例えば、記録時間や記録動作中の堆積インクの消費量などに応じて変化するようにしても良い。
【００５２】
また、インクの蒸発のし易さは環境温度や環境湿度に応じて異なる。高温・低湿の環境下においては、インクは水分蒸発が進み増粘し易くなる。一方、低温・高湿環境下においては、インクは水分蒸発が進まず増粘し難くなる。そこで、記録後予備吐において、低温・高湿になるほど予備吐量を減らすようにしても良い。すなわち、記録後予備吐において、環境温度が所定温度より低い場合に吐出するインク量を、環境温度が所定温度より高い場合に吐出するインク量よりも少なくしても良い。また、記録後予備吐において、環境湿度が所定湿度より高い場合に吐出するインク量を、環境湿度が所定湿度より低い場合に吐出するインク量よりも少なくしても良い。
【００５３】
以上、本実施形態によれば、記録動作において使用される堆積インクのインク量が所定量より多い場合や、記録時間が所定時間より短いような場合には、記録後予備吐において吐出するインク量を低減する。これにより、キャップにおけるインクの堆積を好適に抑制しつつ、インクの堆積を抑制するために使用するインク消費量を低減することができる。
【００５４】
（第２実施形態）
次に、図面を参照しながら本発明の第２実施形態について説明する。なお、第１実施形態と同様の構成についてはその説明を省略する。
【００５５】
第１実施形態では、図１１のステップＳ１０９またはステップＳ１１０において、記録後予備吐を実施した直後に、ステップＳ１１１において一律に空吸引を行っていた。しかし、空吸引はキャップに溜まったインクをすべて排出しようとする吸引動作であるため、空吸引には時間を要する。本実施形態は、その空吸引に要する時間を条件に応じて削減することが可能な構成である。
【００５６】
本実施形態に係る特徴的な制御を図１２のフローチャートを用いて説明する。ここで、ステップＳ２０１〜Ｓ２１０までは、第１実施形態において説明した図１１のステップＳ１０１〜Ｓ１１０までと同様であるため、その説明を省略する。
【００５７】
本実施形態では、ステップＳ２０９において、通常の記録後予備吐（各色各ノズル２０００発ずつ）を行った後は、ステップＳ２１１において、通常の空吸引を行う。ここでの空吸引では吸引ポンプを５秒間駆動する。一方、ステップＳ２１０において、吐出発数の少ない記録後予備吐（各色各ノズル１０００発ずつ）を行った後は、ステップＳ２１２において、通常の空吸引よりも短い駆動時間の空吸引を行う。ここでの空吸引では吸引ポンプを１秒間駆動する。このように、堆積抑制インクがあまり増粘していないような場合には、空吸引によってインクが吸引されやすかったり、自重でキャップ吸収体に浸透したりするため、短い空吸引時間（駆動時間）でキャップ内のインクを吸引排出することができる。ここで、堆積抑制インクがあまり増粘していないような場合には、空吸引の時間を減らす構成としたが、空吸引を行わない構成とすることもできる。
【００５８】
以上、本実施形態によれば、記録動作において使用される堆積インクのインク量が所定量より多い場合や、記録時間が所定時間より短いような場合には、記録後予備吐において吐出するインク量を低減し、さらに空吸引の時間を削減する。これにより、キャップにおけるインクの堆積を好適に抑制しつつ、インクの堆積を抑制するために使用するインク消費量を低減し、さらに空吸引によるスループットの低下を抑制することができる。
【００５９】
（第３実施形態）
次に、図面を参照しながら本発明の第３実施形態について説明する。なお、上記実施形態と同様の構成についてはその説明を省略する。
【００６０】
上記実施形態では、記録動作の開始前の記録前予備吐によりキャップに吐出したインクの堆積を、記録動作の終了後の記録後予備吐により抑制する構成について説明した。本実施形態では、縁なし記録動作においてプラテンに吐出したインクの堆積を、記録動作の終了後の記録後予備吐により抑制する構成について説明する。
【００６１】
以下縁なし記録動作を行う際の制御について説明する。
【００６２】
図１３は、本実施形態において縁なし記録動作を行う際の記録媒体とプラテン吸収体の関係を示す模式図である。プラテン３００は、搬送される記録媒体Ｐを下方より支持するために、キャリッジ１００の移動方向に延在して設けられている。記録ヘッド１０１は、縁なし記録動作を行う際、記録媒体Ｐの端部を超えた位置（記録媒体外）に対してもインクを吐出する。また、記録ヘッド１０１は、内部の増粘インクを排出するために、記録媒体外に対して記録に寄与しないインクを吐出する予備吐出動作を行う。
【００６３】
プラテン３００には、記録媒体外に対してはみ出して吐出されたインクを収容するプラテン吸収体（インク吸収体、インク受け部）３０１が配されている。プラテン吸収体３０１に収容されたインクは、その後、プラテン３００の下方より排出され、記録装置本体の下部に設けられた廃インク収容部５０４に排出（回収）されるように構成されている。なお、本実施形態において縁なし記録動作を行う際は、記録媒体の大きさよりも３ｍｍ程外側にはみ出した領域まで、記録ヘッド１０１によりインクが吐出される。
【００６４】
図１４は、本実施形態において縁なし記録動作を行う際の堆積インクのカウント領域を説明するための模式図である。本実施形態では、上述したように、縁なし記録動作を行う際には、記録媒体の領域Ｐよりも先端部、後端部、右端部および左端部にそれぞれ３ｍｍずつはみ出した領域に対してもインクを吐出する。図１４では、このようなはみ出した領域を斜線で示し、それぞれ、先端部はみ出し領域、後端部はみ出し領域、右端部はみ出し領域、左端部はみ出し領域に分類している。右端部はみ出し領域および左端部はみ出し領域に対して吐出されたインクは、図１３に示したプラテン吸収体３０１の右端部領域と左端部領域にそれぞれ吸収される。また、先端部はみ出し領域および後端部はみ出し領域に吐出されたインクは、図１３に示したプラテン吸収体３０１の先後端部領域に吸収される。なお、各領域の分割は上記例に限らず、さらに細かく分割しても良い。
【００６５】
ＣＰＵ１０００は、ホスト装置から縁なし記録動作を行う記録命令を受信すると、はみ出し領域に吐出される堆積インクのドット数を算出する。堆積インクのドット数の算出にあたっては、プラテン吸収体３０１の右端部領域に吐出されるインクのドット数、左端部領域に吐出されるインクのドット数、さらに先後端領域に吐出されるインクのドット数をインク種類ごとにカウントする。そして、堆積インクとなる顔料インクのカウント結果から、堆積抑制インクとなる顔料インクのドット数を差し引くことによって、堆積ドット数を算出する。すなわち、
堆積ドット数＝シアンドット数＋マゼンタドット数＋イエロードット数＋ブラックドット数＋レッドドット数−（ライトシアンドット数＋ライトマゼンタドット数＋グレイドット数＋クリアインクドット数）
となる。なお、本実施形態では、堆積インクのドット数と堆積抑制インクのドット数との差である堆積ドット数を算出することにより、プラテン吸収体３０１の各領域における堆積インクの堆積状況に関する情報を取得した。しかし、例えば、単に顔料インクのドット数のみを算出する構成としても良い。また、本実施形態では堆積インクの吐出発数をカウントしているが、堆積インクの吐出量や、その比率等を算出しても良い。
【００６６】
ＣＰＵ１０００は、ＲＯＭ１００１に予め格納されているテーブルを参照することにより、算出した各領域の堆積ドット数から、各領域に対して吐出するそれぞれの堆積抑制インクの吐出数（ドット数）を決定することができる。この堆積ドット数や堆積抑制インクの吐出数は、後述する制御で用いられる。
【００６７】
堆積インクに対して堆積抑制インクを吐出する堆積抑制制御（後がけ制御）について図１５を用いて説明する。縁なし記録動作が終了すると、ステップＳ３３１では、縁なし記録動作によってインクが吐出されたプラテン上の領域と対向する位置（所定位置）へキャリッジ１００を移動させる。ステップＳ３３２では、前述した方法で予め算出した堆積抑制インクのドット数を取得する。具体的には、下記式により、取得した堆積ドット数に所定の係数Ｂを掛けて堆積抑制インクのドット数を算出する。
【００６８】
吐出する堆積抑制インクのドット数（後がけ量ＡＴ）＝係数Ｂ×堆積ドット数  
係数Ｂは、堆積インクに対して堆積抑制インクを吐出したときの効果を事前に検討・評価して設定された係数である。ここでは、堆積ドット数と吐出する堆積抑制インクのドット数を比例関係として算出している。インクの堆積は環境依存性が大きいため、係数Ｂは温度や湿度等の環境によって変化する係数としても良い。なお本実施形態においては、予め記録動作の開始前に記録データから上記の堆積ドット数や堆積抑制インクの吐出ドット数を計算して取得しているが、記録動作の終了後に計算しても良いし、例えばステップＳ３３２において計算しても良い。
【００６９】
ステップＳ３３３では、ステップＳ３３２で取得した堆積抑制インクの吐出量分の堆積抑制インクの吐出を行う。ここで、図１３の先後端部領域のようにプラテン吸収体上の広い領域に亘ってインクの堆積を抑制しようとする場合には、キャリッジを複数回往復移動させながら堆積抑制インクを吐出しても良い。また、狭い領域におけるインクの堆積を抑制しようとする場合には、その領域上にキャリッジを停止させて堆積抑制インクを吐出しても良い。堆積抑制インクの吐出が終了すると、後がけ制御は終了する。
【００７０】
なお、本実施形態では、縁なし記録動作によりプラテン吸収体のはみ出し領域に吐出されたインクの堆積抑制について述べた。しかし、予備吐出動作によりプラテン吸収体に吐出されたインクの堆積抑制に本発明を適用しても良い。
【００７１】
次に、本実施形態に係る制御を図１６のフローチャートを用いて説明する。ステップＳ３０１において、ＣＰＵ１０００から縁なし画像を記録する旨の記録命令を受信する。記録命令を受信すると、次のステップＳ３０２へ進み、記録ヘッド１０１は、キャリッジ１００によりキャップ５００と対向する位置へ移動し、記録前予備吐を行う。これにより、記録動作の前に、各色のインクの増粘を十分に解消することができる。次に、ステップＳ３０３へ進み、堆積抑制インク（本実施形態ではクリアインク）の消費量と記録時間の測定を開始する。そして、ステップＳ３０４において、記録命令に係る縁なし画像を記録媒体に記録する縁なし記録動作を開始する。縁なし記録動作が完了すると、ステップＳ３０５において、堆積抑制インクの消費量と記録時間の測定を終了する。そして、ステップＳ３０６において、記録ヘッド１０１の吐出口面に付着したインクや紙粉を除去することを目的として、記録ヘッド１０１の吐出口面をワイピングするワイピング動作を実施する。
【００７２】
次に、ステップＳ３０７では、測定した記録時間が所定時間Ｔｔｈより長いか否かを判定する。記録時間が所定時間Ｔｔｈより長い場合は、ステップＳ３０８へ進む。ステップＳ３０８では、測定した堆積抑制インクの消費量が所定のドット数Ｄｔｈより多いか否かを判定する。堆積抑制インクの消費量が所定のドット数Ｄｔｈより少ない場合は、ステップＳ３０９へ進む。このとき、堆積抑制インクの水分は吐出口から蒸発しインクの増粘が進んでいる。このような堆積抑制インクがプラテン吸収体へ着弾しても、インクの堆積を抑制する効果は低減しているおそれがある。よって、ステップＳ３０９では、上述したような、通常通りの後がけ制御を実施する。この後がけ制御では、堆積抑制インクの蒸発分を考慮した十分な量の吐出量が設定されているため、この後がけ制御によって、プラテン吸収体におけるインクの堆積を抑制することができる。
【００７３】
一方、ステップＳ３０７において、記録時間が所定時間Ｔｔｈより短い場合、または、ステップＳ３０８において、堆積抑制インクの消費量が所定のドット数Ｄｔｈより多い場合は、ステップＳ３１０へ進む。ステップＳ３１０では、上述した通常の後がけ制御における吐出量よりも少ない吐出量の後がけ制御を実施する。この後がけ制御では、通常の後がけ制御における後がけ量ＡＴの半分の後がけ量（１／２ＡＴ）としている。
【００７４】
ここでは、説明の簡単のため、後がけ制御において、クリアインクのみを堆積抑制インクとして用いる構成としたが、他のライトシアンインクやライトマゼンタインクなどの堆積抑制インクを用いて同様の計算、制御を行う構成としても良い。
【００７５】
また、後がけ量を減らした後がけ制御では、通常の後がけ制御の半分の後がけ量としたが、通常の後がけ量に対して係数Ｋを掛けることとし、係数Ｋを記録時間や記録動作中の堆積抑制インクの消費量などに応じて変化することとしても良い。
【００７６】
以上、本実施形態によれば、記録動作において使用される堆積抑制インクのインク量が所定量より多い場合や、記録時間が所定時間より短いような場合には、記録動作の終了後の後がけ制御において吐出するインク量を通常より減らす。これにより、プラテンにおけるインクの堆積を好適に抑制しつつ、インクの堆積を抑制するために使用するインク消費量を低減することができる。
【符号の説明】
【００７７】
１  インクジェット記録装置
１０１  記録ヘッド
３００  プラテン
３０１  プラテン吸収体
５００  キャップ
５０１  キャップ吸収体
【図１】
2019005910.tif 000003
【図２】
2019005910.tif 000004
【図３】
2019005910.tif 000005
【図４】
2019005910.tif 000006
【図５】
2019005910.tif 000007
【図６】
2019005910.tif 000008
【図７】
2019005910.tif 000009
【図８】
2019005910.tif 000010
【図９】
2019005910.tif 000011
【図１０】
2019005910.tif 000012
【図１１】
2019005910.tif 000013
【図１２】
2019005910.tif 000014
【図１３】
2019005910.tif 000015
【図１４】
2019005910.tif 000016
【図１５】
2019005910.tif 000017
【図１６】
2019005910.tif 000018